【手続補正書】
【提出日】平成29年2月28日(2017.2.28)
【手続補正１】
【補正対象書類名】明細書
【補正対象項目名】００５６
【補正方法】変更
【補正の内容】
【００５６】
再び述べることになるが、電線路１１，１２と、前述した終端抵抗体および／または金属構造３１および／または追加のキャパシタ４０とをモノリシックに集積する構成は、あくまでも任意の構成に過ぎない。例えば、終端抵抗体２１，２２、金属構造３１および追加のキャパシタ４０からなる群から選択される少なくとも１つを、別体の部品（例えば、電線路１１，１２とは別の基板（例えば、セラミックス基板）に配置された別体の部品）として形成して例えばボンディングワイヤを介して電線路１１，１２に接合する等してもよい。
なお、本発明は、実施の態様として以下の内容を含む。
〔態様１〕
電線路配置構造であって、
−コプレーナストリップ線路を構成している第１および第２の電線路（１１，１２）と、
−前記第１および第２の電線路（１１，１２）を終端する少なくとも１つの終端抵抗体（２１，２２，２４）と、を備え、
−当該電線路配置構造（１）の第１の領域（１０）では前記第１および第２の電線路（１１，１２）が互いから第１の距離（ｄ１）をもって延在しており、当該電線路配置構造（１）の第２の領域（２０）では前記第１および第２の電線路（１１，１２）が互いから前記第１の距離（ｄ１）よりも大きい第２の距離（ｄ２）をもって延在しており、
−前記終端抵抗体（２１，２２，２４）が、当該電線路配置構造（１）の前記第２の領域（２０）において前記第１および第２の電線路（１１，１２）間の位置に、物理的に配置されている、電線路配置構造において、
前記第１および第２の電線路（１１，１２）間に、少なくとも１つの導電性構造（３，３１）が、前記コプレーナストリップ線路のインピーダンスを適合させるように当該電線路配置構造（１）の前記第２の領域（２０）に少なくとも部分的に配置されていることを特徴とする、電線路配置構造。
〔態様２〕
態様１に記載の電線路配置構造において、前記導電性構造（３，３１）が、当該電線路配置構造（１）の前記第１の領域（１０）のインピーダンスを当該電線路配置構造（１）の前記第２の領域（２０）のインピーダンスと少なくとも本質的に整合させるように配置及び構成されている、電線路配置構造。
〔態様３〕
態様１または２に記載の電線路配置構造において、当該電線路配置構造（１）の前記第２の領域（２０）において前記第１および第２の電線路（１１，１２）間に、単一の終端抵抗体（２４）が配置されている、電線路配置構造。
〔態様４〕
態様１から３のいずれか一態様記載の電線路配置構造において、前記導電性構造（３，３１）が、前記第１および第２の電線路（１１，１２）から電気的に絶縁されている、電線路配置構造。
〔態様５〕
態様１から３のいずれか一態様に記載の電線路配置構造において、当該電線路配置構造（１）の前記第２の領域（２０）において前記第１および第２の電線路（１１，１２）間に、２つの終端抵抗体（２１，２２）が配置されており、かつ、当該２つの終端抵抗体（２１，２２）が、端部接点（２３）を介して互いに接続されている、電線路配置構造。
〔態様６〕
態様５に記載の電線路配置構造において、前記端部接点（２３）が、前記導電性構造（３，３１）に接続されている、電線路配置構造。
〔態様７〕
態様５または６に記載の電線路配置構造において、前記導電性構造（３１）が、前記２つの終端抵抗体（２１，２２）を容量結合して直流的に分離する容量性構造の一部である、電線路配置構造。
〔態様８〕
態様７に記載の電線路配置構造において、前記導電性構造（３１）が、誘電層（３１５）によって隔てられた少なくとも２つの導電層（３１３，３１４）を有する、電線路配置構造。
〔態様９〕
態様８に記載の電線路配置構造において、前記導電層（３１３，３１４）のうちの第１の導電層が前記終端抵抗体（２１，２２）のうちの第１の終端抵抗体に接続されており、前記導電層（３１３，３１４）のうちの第２の導電層が前記終端抵抗体（２１，２２）のうちの第２の終端抵抗体に接続されている、電線路配置構造。
〔態様１０〕
態様９に記載の電線路配置構造において、前記導電性構造（３１）が３つの導電層（３１３，３１４，３１６）および少なくとも１つの誘電層（３１７，３１８）を有していて、前記導電層のうちの第１および第３の導電層（３１３，３１６）が前記誘電層によって隔てられており、前記導電層のうちの前記第３の導電層（３１６）と第２の導電層（３１４）とが前記誘電層によって隔てられており、かつ、前記第１の導電層（３１３）が前記終端抵抗体のうちの第１の終端抵抗体（２１）に接続されており、前記第２の導電層（３１４）が前記終端抵抗体のうちの第２の終端抵抗体（２２）に接続されており、前記第３の導電層（３１６）が接地されている、電線路配置構造。
〔態様１１〕
態様５から１０のいずれか一態様に記載の電線路配置構造において、前記終端抵抗体（２１，２２）が、同じ抵抗値を有する、電線路配置構造。
〔態様１２〕
態様１から１１のいずれか一態様に記載の電線路配置構造において、前記第１および第２の電線路（１１，１２）が、互いに容量結合している、電線路配置構造。
〔態様１３〕
態様１から１２のいずれか一態様に記載の電線路配置構造において、前記第１および第２の電線路（１１，１２）が、幾何学的に対称な構造として形成されている、電線路配置構造。
〔態様１４〕
電線路配置構造であって、さらに、
前記コプレーナストリップ線路に差動電圧信号を供給するように構成されたドライバユニット（３０）、
を備える、電線路配置構造。
〔態様１５〕
態様１から１４のいずれか一態様に記載の電線路配置構造において、前記終端抵抗体（２１，２２，２４）が、当該電線路配置構造（１）の前記第１および第２の電線路（１１，１２）と同じ基板に配置されている、電線路配置構造。
〔態様１６〕
態様１から１５のいずれか一態様に記載の電線路配置構造において、当該電線路配置構造（１）の前記第１の領域（１０）での前記第１および第２の電線路（１１，１２）間の距離が、少なくとも本質的に一定である、電線路配置構造。
〔態様１７〕
電気光学変調器であって、
少なくとも１つの光導波路（１１２，１２２）と、
態様１から１６のいずれか一項に記載の電線路配置構造（１）と、
を備え、
前記電線路配置構造（１）が、前記光導波路（１１２，１２２）に電圧を印加する電極配置構造を構成している、電気光学変調器。
〔態様１８〕
態様１７に記載の電気光学変調器において、前記電線路配置構造（１）が、前記電極配置構造に電圧を供給するドライバユニット（３０）を含み、前記ドライバユニット（３０）が、オープンコレクタモード、終端帰還のオープンコレクタモード、オープンドレインモードまたは終端帰還のオープンドレインモードで動作される、電気光学変調器。
〔態様１９〕
態様１７または１８に記載の電気光学変調器において、当該変調器が、進行波型変調器であり、前記電線路配置構造（１）が、進行波電極配置構造を構成している、電気光学変調器。
【手続補正２】
【補正対象書類名】特許請求の範囲
【補正対象項目名】全文
【補正方法】変更
【補正の内容】
【特許請求の範囲】
【請求項１】
電線路配置構造であって、
−コプレーナストリップ線路を構成している第１および第２の電線路（１１，１２）と、
−前記第１および第２の電線路（１１，１２）を終端する少なくとも１つの終端抵抗体（２１，２２，２４）と、を備え、
−当該電線路配置構造（１）の第１の領域（１０）では前記第１および第２の電線路（１１，１２）が互いから第１の距離（ｄ１）をもって延在しており、当該電線路配置構造（１）の第２の領域（２０）では前記第１および第２の電線路（１１，１２）が互いから前記第１の距離（ｄ１）よりも大きい第２の距離（ｄ２）をもって延在しており、
−前記終端抵抗体（２１，２２，２４）が、当該電線路配置構造（１）の前記第２の領域（２０）において前記第１および第２の電線路（１１，１２）間の位置に、物理的に配置されている、電線路配置構造において、
前記第１および第２の電線路（１１，１２）間に、少なくとも１つの導電性構造（３，３１）が、前記コプレーナストリップ線路のインピーダンスを適合させるように当該電線路配置構造（１）の前記第２の領域（２０）に少なくとも部分的に配置されていることを特徴とする、電線路配置構造。
【請求項２】
請求項１に記載の電線路配置構造において、前記導電性構造（３，３１）が、当該電線路配置構造（１）の前記第１の領域（１０）のインピーダンスを当該電線路配置構造（１）の前記第２の領域（２０）のインピーダンスと少なくとも本質的に整合させるように配置及び構成されている、電線路配置構造。
【請求項３】
請求項１または２に記載の電線路配置構造において、当該電線路配置構造（１）の前記第２の領域（２０）において前記第１および第２の電線路（１１，１２）間に、単一の終端抵抗体（２４）が配置されている、電線路配置構造。
【請求項４】
請求項１から３のいずれか一項に記載の電線路配置構造において、前記導電性構造（３，３１）が、前記第１および第２の電線路（１１，１２）から電気的に絶縁されている、電線路配置構造。
【請求項５】
請求項１から３のいずれか一項に記載の電線路配置構造において、当該電線路配置構造（１）の前記第２の領域（２０）において前記第１および第２の電線路（１１，１２）間に、２つの終端抵抗体（２１，２２）が配置されており、かつ、当該２つの終端抵抗体（２１，２２）が、端部接点（２３）を介して互いに接続されている、電線路配置構造。
【請求項６】
請求項５に記載の電線路配置構造において、前記端部接点（２３）が、前記導電性構造（３，３１）に接続されている、電線路配置構造。
【請求項７】
請求項５または６に記載の電線路配置構造において、前記導電性構造（３１）が、前記２つの終端抵抗体（２１，２２）を容量結合して直流的に分離する容量性構造の一部である、電線路配置構造。
【請求項８】
請求項７に記載の電線路配置構造において、前記導電性構造（３１）が、誘電層（３１５）によって隔てられた少なくとも２つの導電層（３１３，３１４）を有する、電線路配置構造。
【請求項９】
請求項８に記載の電線路配置構造において、前記導電層（３１３，３１４）のうちの第１の導電層が前記終端抵抗体（２１，２２）のうちの第１の終端抵抗体に接続されており、前記導電層（３１３，３１４）のうちの第２の導電層が前記終端抵抗体（２１，２２）のうちの第２の終端抵抗体に接続されている、電線路配置構造。
【請求項１０】
請求項９に記載の電線路配置構造において、前記導電性構造（３１）が３つの導電層（３１３，３１４，３１６）および少なくとも１つの誘電層（３１７，３１８）を有していて、前記導電層のうちの第１および第３の導電層（３１３，３１６）が前記誘電層によって隔てられており、前記導電層のうちの前記第３の導電層（３１６）と第２の導電層（３１４）とが前記誘電層によって隔てられており、かつ、前記第１の導電層（３１３）が前記終端抵抗体のうちの第１の終端抵抗体（２１）に接続されており、前記第２の導電層（３１４）が前記終端抵抗体のうちの第２の終端抵抗体（２２）に接続されており、前記第３の導電層（３１６）が接地されている、電線路配置構造。
【請求項１１】
請求項５から１０のいずれか一項に記載の電線路配置構造において、前記終端抵抗体（２１，２２）が、同じ抵抗値を有する、電線路配置構造。
【請求項１２】
請求項１から１１のいずれか一項に記載の電線路配置構造において、前記第１および第２の電線路（１１，１２）が、互いに容量結合している、電線路配置構造。
【請求項１３】
請求項１から１２のいずれか一項に記載の電線路配置構造において、前記第１および第２の電線路（１１，１２）が、幾何学的に対称な構造として形成されている、電線路配置構造。
【請求項１４】
請求項１から１３のいずれか一項に記載の電線路配置構造において、さらに、
前記コプレーナストリップ線路に差動電圧信号を供給するように構成されたドライバユニット（３０）、
を備える、電線路配置構造。
【請求項１５】
請求項１から１４のいずれか一項に記載の電線路配置構造において、前記終端抵抗体（２１，２２，２４）が、当該電線路配置構造（１）の前記第１および第２の電線路（１１，１２）と同じ基板に配置されている、電線路配置構造。
【請求項１６】
請求項１から１５のいずれか一項に記載の電線路配置構造において、当該電線路配置構造（１）の前記第１の領域（１０）での前記第１および第２の電線路（１１，１２）間の距離が、少なくとも本質的に一定である、電線路配置構造。
【請求項１７】
電気光学変調器であって、
少なくとも１つの光導波路（１１２，１２２）と、
請求項１から１６のいずれか一項に記載の電線路配置構造（１）と、
を備え、
前記電線路配置構造（１）が、前記光導波路（１１２，１２２）に電圧を印加する電極配置構造を構成している、電気光学変調器。
【請求項１８】
請求項１７に記載の電気光学変調器において、前記電線路配置構造（１）が、前記電極配置構造に電圧を供給するドライバユニット（３０）を含み、前記ドライバユニット（３０）が、オープンコレクタモード、終端帰還のオープンコレクタモード、オープンドレインモードまたは終端帰還のオープンドレインモードで動作される、電気光学変調器。
【請求項１９】
請求項１７または１８に記載の電気光学変調器において、当該変調器が、進行波型変調器であり、前記電線路配置構造（１）が、進行波電極配置構造を構成している、電気光学変調器。